(57)【要約】【課題】  集塵機や電気掃除機に於いて、フイルターの交換を比較的簡単な操作によって手軽に行えるように工夫したフイルター取付装置を提供する。【解決手段】  集塵機の機体１の内部を清浄室１５Ｈとダスト室１Ｈの上下２室に仕切る仕切板８に、底面にフイルター取付ブラケット１０Ａ，１０Ｂを設けたフイルター装着板９を設けて、フイルター４をこれ等ブラケット１０Ａ，１０Ｂに対して吊下げた状態に取付け自在に構成する。フイルター装着板９の上面側には、下方に押圧回動すると、底面に設けたフイルター押え部１２Ｃをフイルター４のダーティ側パッキン７に押圧密着させることができるフイルター脱着クランプ１２を設ける。【選択図】      図４
2005074267.tif 000002
【特許請求の範囲】
【請求項１】
機体の内部を清浄室とダスト室の上下２室に仕切る仕切板に、これ等２室を連通する１つ又は複数の連通穴を設けて、連通穴には全体を略筒状に形成したフイルターを吊下げ状態に取付けると共に、ブロアーの吸引作用を受けて上記ダスト室内に吸い込んだ含塵気流を、上記のフイルターを通して濾過した後、その清浄空気を上記清浄室を通して排気するように構成した集塵機又は電気掃除機に於いて、
上記フイルターの上端部外側に吊下げ用の鍔部を設け、上記仕切板の底面部側には、上記フイルターの鍔部側に係合してフイルターを吊下げ状態に支持することができるフイルター取付けブラケットを設けると共に、上記仕切板の上面部側には、下方に押し付け回動することによって、上記仕切板の連通穴と上記フイルターの上端口の間を密着状態に連通接続することができるフイルター脱着クランプを設けたことを特徴とする集塵機等に於けるフイルター取付装置。
【請求項２】
フイルター取付けブラケットを設けた仕切板を、フイルターを取付けた状態のまま、又は、フイルターを取り外した状態で、機体に対して着脱自在に構成したことを特徴とする請求項１に記載の集塵機等に於けるフイルター取付装置。
【請求項３】
前記フイルターに設けた鍔部の下側にリング体を嵌込み、このリング体を上記仕切板に設けたフイルター取付けブラケットに嵌込むことによって、フイルターを仕切板の底面側に吊下げ状態に取付けるように構成したことを特徴とする請求項１又は２に記載の集塵機等に於けるフイルター取付装置。
【請求項４】
前記フイルター脱着クランプの中央部に通気穴を開孔し、その底面部側には、該クランプを下方に押し付け回動した時に、前記仕切板の連通穴内に嵌合し、且つ、その下端部を前記フイルターの上端面側に設けたパッキンに押し付け密着させることができる筒状のフイルター押え部を設けたことを特徴とする請求項１、２又は３に記載の集塵機等に於けるフイルター取付装置。
【請求項５】
前記フイルター脱着クランプの先端部側を、前記仕切板に設けた取付部に対して上下回動自在に取付けると共に、上下回動用取っ手部を設けた該クランプの根端部側には、該クランプを下方に押し付け回動した状態に固定することができる固定部材を設けたことを特徴とする請求項１、２、３又は４に記載の集塵機等に於けるフイルター取付装置。
【請求項６】
ダスト室の上側に連設した清浄室を、ダスト室に対して開閉自在、又は、取り外し自在に構成したことを特徴とする請求項１、２、３、４又は５に記載の集塵機等に於けるフイルター取付装置。
【発明の詳細な説明】
【技術分野】
【０００１】
本発明は、集塵機又は電気掃除機に組み込んで使用することによって、フイルターの着脱を簡単に行うことを可能にした集塵機等に於けるフイルター取付装置に関するものである。
【背景技術】
【０００２】
例えば、粉体輸送や粉体回収で、取扱う粉塵の種類が入れ替わる場合に、夫々の粉体が混ざり合わないようにするために、集塵機のフイルターを始めとする各種部材の清浄が必要になる。その様な場合に、フイルターを含む周辺部の清掃をし易くしたり、フイルターユニットの全体を簡単に洗浄できるようにする必要がある。
【０００３】
また、例えば食品関連設備等に於いては、清潔な環境が重要であり、フイルターを常時洗浄して綺麗にして維持し、カビや細菌が繁殖しないようにする必要がある。
【０００４】
そこで、例えば特許文献１に見られるように集塵機等に於いてフイルターの取り外しを可能にしたものが考えられた。
上記特許文献１に記載のフイルターの取付部によれば、上面側に除塵用エアーを吹き込むベンチュリー６と底面側にフイルター用取付板支持枠３ａ，３ｂとを備えた仕切板３を、集塵機機体内部を清浄室１ｂとダスト室１ａの上下２室に仕切るようにして設け、上記フイルター取付板支持枠３ａ，３ｂの内側に、フイルター１０が支持されたフイルター用取付板９を上記支持枠３ａ，３ｂ上をスライドして挿入し、上記仕切板３の下面に対してフイルターの上端部をパッキン１１を介してネジ１２で上方向に押し付け固定するように構成されている。
【０００５】
ところが、上記特許文献１に記載の装置では、フイルターを取付ける際に、仕切板３の下面に対してフイルターの上端部をパッキン１１を介してネジ１２で上方向に押し付け固定するため、フイルターを含み全体的に重いフイルター取付板を下から差し上げてネジ止めするものであるから、作業が大変し難いものであった。
【特許文献１】実開平４−８７７１８号公報
【発明の開示】
【発明が解決しようとする課題】
【０００６】
従って本発明が解決しようとする技術的課題は、集塵機や電気掃除機に於いて、フイルターの交換を比較的簡単な操作によって手軽に行えるように工夫したフイルター取付装置を提供することである。
【課題を解決するための手段】
【０００７】
上記の技術的課題を解決するために本発明で講じた手段は以下の通りである。
【０００８】
（１）  請求項１に記載の如く、機体の内部を清浄室とダスト室の上下２室に仕切る仕切板に、これ等２室を連通する１つ又は複数の連通穴を設けて、連通穴には全体を略筒状に形成したフイルターを吊下げ状態に取付けると共に、ブロアーの吸引作用を受けて上記ダスト室内に吸い込んだ含塵気流を、上記のフイルターを通して濾過した後、その清浄空気を上記清浄室を通して排気するように構成した集塵機又は電気掃除機に於いて、上記フイルターの上端部外側に吊下げ用の鍔部を設け、上記仕切板の底面部側には、上記フイルターの鍔部側に係合してフイルターを吊下げ状態に支持することができるフイルター取付けブラケットを設けると共に、上記仕切板の上面部側には、下方に押し付け回動することによって、上記仕切板の連通穴と上記フイルターの上端口の間を密着状態に連通接続することができるフイルター脱着クランプを設けたことを特徴とする。
【０００９】
（２）  請求項２に記載の如く、フイルター取付けブラケットを設けた仕切板を、フイルターを取付けた状態のまま、又は、フイルターを取り外した状態で、機体に対して着脱自在に構成したことを特徴とする。
【００１０】
（３）  請求項３に記載の如く、前記フイルターに設けた鍔部の下側にリング体を嵌込み、このリング体を上記仕切板に設けたフイルター取付けブラケットに嵌込むことによって、フイルターを仕切板の底面側に吊下げ状態に取付けるように構成したことを特徴とする。
【００１１】
（４）  請求項４に記載の如く、前記フイルター脱着クランプの中央部に通気穴を開孔し、その底面部側には、該クランプを下方に押し付け回動した時に、前記仕切板の連通穴内に嵌合し、且つ、その下端部を前記フイルターの上端面側に設けたパッキンに押し付け密着させることができる筒状のフイルター押え部を設けたことを特徴とする。
【００１２】
（５）  請求項５に記載の如く、前記フイルター脱着クランプの先端部側を、前記仕切板に設けた取付部に対して上下回動自在に取付けると共に、上下回動用の取っ手部を設けた該クランプの根端部側には、該クランプを下方に押し付け回動した状態に固定することができる固定部材を設けたことを特徴とする。
【００１３】
（６）  請求項６に記載の如く、ダスト室の上側に連設した清浄室を、ダスト室に対して開閉自在、又は、取り外し自在に構成したことを特徴とする。
【００１４】
上記の各手段によれば、上端側に鍔部を有するフイルターをフイルター取付ブラケットに取り付ける場合は、先ず、ダスト室（フイルター室）の前面に設けたメンテナンス扉を開放して、フイルターの出し入れを可能にする。次いで、フイルター脱着クランプを仕切板から上方に持ち上げると、フイルター取付ブラケット上にはフイルターの装着空間ができ、仕切板の面に沿ってフイルターを手前から奥の方向（水平方向）に滑らせながら差し込むことができる。この場合、フイルターが装着される位置は、連通穴の真下になる。
【００１５】
次いで、仕切板から上方に持ち上げられているクランプを、仕切板に向けて下降させることにより、仕切板上部の連通穴周囲縁部をパッキンを介して押し付け密着すると共に、連通穴下方のフイルター取付ブラケットに吊り下げ状態に装着されたフイルターの鍔部上面周囲を、パッキンを介して押し付け密着して固定する。その結果、フイルターは、仕切板のフイルター取付ブラケットに吊下げた状態でしっかりと取り付けられ、且つ、清浄室とダスト室を密閉状態に遮断し、気流はダスト室から清浄室へとフイルターを介して流れることになる。
【発明の効果】
【００１６】
本発明は以上述べた如くであるから、フイルター脱着クランプを操作することで、フイルターは単独で簡単に取り出し、又、取り付けることができる。つまり、従来のように、フイルター取付板を一緒に引き出したり、持ち上げることをしないから、フイルター取付板に堆積されたダストが、フイルター取付板と一緒に外部に持ち出されることがなく、周辺へのダストの飛散を防止することができると共に、従来行っていたように、フイルターが嵌込まれた状態でフイルター取付板を仕切板に対してねじで固定して取り付ける、と言った煩雑な作業がなく、軽作業にてフイルターの取付作業を済ませることができる。
【００１７】
更に本発明によれば、フイルターを含む周辺の関連部材が集塵機本体から容易に取り外せるから、取扱う粉体を変更する場合とか、或は、食品関連に於ける衛生上の観点から掃除を頻繁に行う場合等において便利である。
【００１８】
また、フイルターの上端鍔部の下にリング体を嵌込んだ状態でフイルター取付ブラケットに装着し、更に、フイルター脱着クランプにより、フイルターの鍔部上面周囲をパッキングを介して押し付け密着固定するため、フイルターの鍔部上面周囲を均一な力で抑えることができ、且つ、確実に密閉を行うことができると共に、フイルターの鍔部を含む上端部を比較的強度が弱いプラスチック等の材料でも製作することができる利点を備えている。
【００１９】
更に加えて、本発明では上記フイルターの鍔部上面周囲を密閉的に抑えシールしたフイルター脱着クランプは、ボルト、ネジ、ナット等の固定部材によって抑えシール状態に固定できるため、大きな力を使わずに比較的簡単な操作によって締付固定できると共に、これ等フイルター脱着クランプの操作と固定部材の操作を、清浄室を開放又は取り外して行うことができるため、フイルターの交換作業を極めて簡単に、且つ、確実に行うことができる利点を発揮することができる。
【発明を実施するための最良の形態】
【００２０】
以下に、本発明に係る集塵機等に於けるフイルター取付装置の実施の形態を図面と共に説明すると、図１は本発明を備えた集塵機の正面図、図２はその側面図、図３はフイルターを取り付けている状態を説明した要部の側断面図、図４はフイルターを取り付けた状態を示した要部の側断面図、図５は同じく要部の正断面図であって、これ等の図面に於いて、夫々符号１で全体的に示したのは集塵機の機体で、１Ｈは機体内部のダスト室（フイルター室）、１Ｋはダスト室１Ｈの側面に設けた含塵空気の吸込口、２は開口されたダスト室１Ｈの前面口を塞ぐメンテナンス扉で、この扉２はダスト室１Ｈ内のメンテナンス時や、後述するフイルター交換時には、取り外されてダスト室１Ｈの前面口を開く仕組に成っている。
【００２１】
１Ｚは上記機体１の底部に取り付けたダスト回収部で、１Ｖはダスト回収用ホッパ、１Ｗはホッパ１Ｖの下側部に取り外し自在に設けたダストバケット、１Ｒ…は移動用の車輪を示す。
【００２２】
１Ｔは開口された機体１の上面口、８はこの開口された機体１の上面口１Ｔを塞ぐように取り付けた仕切板で、仕切板８の全体は後述するルーフ体を開くことによって、上面口１Ｔに対して取り外し自在に構成されている。９はこの仕切板８の底面中央部を下方に窪ませた（凹設した）状態に構成されたフイルター装着板で、全体を略ボックス状に造ったフイルター装着板９の中央部には通気用の連通穴９Ｈが開口形成されている。尚、仕切板８とフイルター装着板９はプレス加工で一体成形しても、別々に造ったものを溶接するようにしてもよく、その選択は任意である。
【００２３】
１０Ａ，１０Ａと、１０Ｂは、前記メンテナンス扉２を設けた機体１の前面側から見て、上記フイルター装着板９の底面側の左右両側と、その奥側に設けたフイルター取付ブラケットで、これ等両側部と奥部の各ブラケット１０Ａ，１０Ａと１０Ｂの内側面には、図示したように後述するフイルターをフイルター装着板９の底面側に吊下げた状態に支持するための段状の係止部が形成されている。
【００２４】
４は全体を略筒型（具体的には断面略星型）に形成したフイルター、４Ｇはこのフイルター４の内部に挿入した保護用のフイルターケージ、６はフイルター４の上端部外周縁に突出形成した鍔を示す。また、フイルター４の上端面には前記フイルター装着板９の連通穴９Ｈに対応する上端口４Ｔ（フイルター口）が開口形成され、更に、フイルター４の上端面には、図３、図４に示すようにこの上端口４Ｔを囲むようにパッキン７（ダーティ側パッキン）が取り付けられている。
【００２５】
５は上記フイルター４の下側より嵌込んで、上記鍔６に上面側を係止させて取り付けたリング体で、図３に示すようにフイルター４を機体１の仕切板８に取り付ける際に、上記フイルター４に取り付けたリング体５の左右両側部と奥部の各側を、図４、図５に示すように上記左右側部と奥部の各フイルター取付ブラケット１０Ａ，１０Ａと１０Ｂの係止部に対して、水平方向にスライドさせなが嵌込むことによって、フイルター４を仕切板８に設けたフイルター装着板９の底面側に吊下げた状態に、且つ、フイルター４の上端口４Ｔを該フイルター装着板９の連通穴９Ｈに対して同一中心線上に位置を合わせた状態に取り付けられる仕組に成っている。
【００２６】
１５は図２に示したヒンジ部１７を用いて機体１の上面口１Ｔに開閉自在に取り付けたルーフ体で、このルーフ体１５の内部が機体１の清浄室１５Ｈに成っている。１６はこの清浄室１５Ｈの一側に設けた区画室１５Ｅ内に取り付けられているエアスプリングで、ルーフ体１５を閉じた状態に維持するロック（図示省略）を外すと、ルーフ体１５がこのエアスプリング１６によって図３、図４の如く開いて、上記機体１の上面側、即ち、上面口１Ｔに取り付けた仕切板８の上面側を開放することを可能にする。
【００２７】
１３は上記フイルター装着板９の奥側部分に設けた略門型形状を成す支持バー、１２は先端部に設けた嵌込み溝１２Ｂ内に上記の支持バー１３を嵌込むことにより、全体をフイルター装着板９に対して上下回動自在に取り付けたフイルター脱着クランプ、１２Ｔは上下回動する該クランプ１２の根端部側に形成したアーム、１２Ａはこのアーム１２Ｔに取り付けた操作ハンドルを示す。１２Ｃはこのフイルター脱着クランプ１２の中央部に、上記フイルター装着板９の連通穴９Ｈ、及び、嵌込まれて装着されたフイルター４の上面口４Ｔに対応させて設けた通気穴で、上記フイルター脱着クランプ１２の平面視形状は、この通気穴１２Ｓの形成によって、中央部に穴を有する略円盤状（ドーナツ盤状）に形成されている。
【００２８】
１２Ｃは、この通気穴１２Ｓを囲むように該フイルター脱着クランプ１２の底面に設けた断面略円筒状のフイルター押え部で、１２Ｅは該フイルター押え部１２Ｃを囲むようにフイルター脱着クランプ１２の底面に設けたパッキン（クリーン側パッキン）を示す。
【００２９】
上記のフイルター脱着クランプ１２の全体を、図４に於いて仮想線で示した斜め起立状態から、先端側の支持バー１２を支点に同図実線の如く下方に押圧回動すると、底面に設けたフイルター押え部１２Ｃが上記フイルター装着板９に設けた連通穴９Ｈ内に嵌入して、その下端縁を前記フイルター装着板９のフイルター取付ブラケット１０Ａ，１０Ａ，１０Ｂに吊下げた状態に取り付けられているフイルター４のダーティ側パッキン７に押圧密着せしめると共に、このフイルター押え部１２Ｃの周辺部に取り付けた前記クリーン側パッキン１２Ｅが上記連通穴９Ｈの口縁部に押圧密着するため、フイルター４の上端部側をフイルター装着板９に対して機密状態に取り付けることを可能にする。
【００３０】
１１は上記フイルター装着板９の上面に上向きに突設した取り付けボルト、１４はこの取り付けボルト１１に装着することにより、上記フイルター脱着クランプ１２を図４及び図５に示した押圧回動状態に固定することができるクランプ固定ナットを示す。
【００３１】
また、図２に於いて符号２０で全体的に示したのは、前記集塵機の機体１に対して一体的に設けたブロアー本体で、２２はモータ２３によって回転して吸引作用をダクト口２１より吸引ダクト１８を通してルーフ１５内の清浄室１５Ｈ、フイルター４、及びダスト室１Ｈに順次及ぼして、吸込口１Ｋより含塵空気を吸引することができるブロアーを示す。また、図中ＤＡ…で示した矢印は、集塵される前のダストエアー（含塵空気）の流れを示し、ＣＡ…で示した矢印は、集塵後のクリーンエアーの流れを示す。
【００３２】
尚、図２には集塵機の機体１とブロアー本体２０を一体構造にしたものが示されているが、機体１とブロアー本体２０を別々に造って、両者の間をダクトやホース等で連結するようにしてもよい。また、図１には本発明に係るフイルター取付装置を機体１内に左右２組設けて、左右２本のフイルター４，４を取り付ける構造が示されているが、これも実施の一例であって、取付装置を１組又は２組以上の複数組設けて、１本又は複数本のフイルター４を取付けるように構成してもよく、その選択は任意である。
【００３３】
本発明に係る集塵機等に於けるフイルター取付装置は以上述べた構成であるから、図１並びに図２に示した運転状態（フイルター取付状態）でブロアー２２を作動すれば、ダストエアー（含塵空気）が吸込口１Ｋからダスト室１Ｈ内に吸引され、次いで、矢印ＤＡ…の如くフイルター４…を通って濾過され、その後、クリーンエアー（浄化空気）が矢印ＣＡ…の如く清浄室１５Ｈ及びダクト１８を通ってブロアー本体２０より外部に排出される。
【００３４】
また、フイルター４を交換する場合は、機体１の前面に取り付けたメンテナンス扉２を開き、ルーフ体１５を図３、図４の如く上方に開く。次いで、クランプ固定ナット１４をボルト１１から外してフイルター脱着クランプ１２の全体を図３の如く上方に回動すれば、フイルター４を同図の如く手前に引き出して機体１の外に取り出すことができる。
【００３５】
次いで、代りのフイルター４を取付るには、上記取り外しの時とは反対にフイルター４を図３の如くフイルター装着板９のフイルター取付ブラケット１０Ａ，１０Ｂに向けて嵌込んだ後、フイルター脱着クランプ１２を下方に押圧回動して、フイルター押え部１２Ｃをダーティ側パッキン７に押圧密着させ、且つ、クリーン側パッキン１２Ｅを連通穴９Ｈの外周縁に押圧密着させると共に、押圧降下されたフイルター脱着クランプ１２をボルト１１とナット１４で固定すれば、フイルター４を仕切板８のフイルター装着板９に対して気密状態に取付けることができる。
【００３６】
その後、メンテナンス扉２を閉じてロックし、更に、ルーフ体１５を閉じてロックしてブロアー２２を作動すれば、集塵運転を再開することができる。尚、ルーフ体１５を開くことによって、フイルター装着板９を含む仕切板８の全体を、上記フイルター４を取付けた状態のまま、又は、フイルター４を取外した状態で、上記機体１の上面口１Ｔから取外して、上記フイルター４の交換や、仕切板８を含む装置の全体を交換したり、各種のメンテナンスを行うことができることは、前述の如くである。
【図面の簡単な説明】
【００３７】
【図１】本発明を実施した集塵機の正面図。
【図２】同じく集塵機の側面図。
【図３】フイルターを交換している状態を説明した要部の側断面図。
【図４】フイルターの取付状態を説明した要部の側断面図。
【図５】フイルターの取付状態を説明した要部の正断面図。
【符号の説明】
【００３８】
１          集塵機の機体
１Ｈ        ダスト室１Ｈ
１Ｔ        上面口
１Ｋ        吸込口
４          フイルター
５          リング体
６          フイルター上端鍔
７          ダーティ側パッキン
８          仕切板
９          フイルター装着板
９Ｈ        連通穴
１０Ａ，１０Ｂ          フイルター取付ブラケット
１１        ボルト
１２        フイルタ−脱着クランプ
１２Ｃ      フイルター押え部
１２Ｅ      クリーン側パッキン
１２Ｓ      通気穴
１４        クランプ固定ナット
１５        ルーフ体
２０        ブロアー本体
２２        ブロアー
【図１】
2005074267.tif 000003
【図２】
2005074267.tif 000004
【図３】
2005074267.tif 000005
【図４】
2005074267.tif 000006
【図５】
2005074267.tif 000007